(57)【要約】【目的】　複数ゾーンに一台で換気空調を行なう換気空調装置の空調機能と換気機能とを調和的に働かせ快適性の高い換気空調雰囲気を形成する。【構成】　換気部からの熱交換後の外気を、空調用送風機と空調用熱交換器を備えた複数系統の空調機能部に住居内空気とともにそのまま供給して住居の各ゾーンに空調機能部により形成される加工空気をそれぞれ供給するように構成した装置本体に、各空調機能部に対応する各ゾーンの室内温度と設定される設定温度とからその差温度ｅと、該差温度ｅの時間ｔの変化量とを求め、差温度ｅとその時間変化量とに応じた調節信号Ｃを形成して、当該ゾーンに対応する空調機能部の空調用送風機のノッチを多段階に切替えて、空調用送風機をなるべく停止させずに設定温度に到達するように制御する制御装置１８を組込む。【選択図】　　　図３
2004003866.tif 000002
【特許請求の範囲】
【請求項１】
外気を取り入れる給気用送風機と、住居内空気を排気する排気用送風機と、前記外気と前記住居内空気との間で熱交換する換気用熱交換器と、前記換気用熱交換器で熱交換後の外気と住居内空気とから空気流を形成する複数の空調用送風機と、前記空気流を加工する複数の空調用熱交換器と、前記複数の空調用送風機の運転を制御する制御装置とを有し、前記複数の空調用熱交換器で加工された空気流を前記複数の空調用送風機に対応する住居内の複数ゾーンに供給する換気空調装置であって、
前記制御装置は、各ゾーン毎の室内温度と各ゾーン毎の設定温度との差温度と、前記差温度がある一定の値だけ変化するまでに要する時間変化量とから調節信号を形成して、前記調節信号に基づいて前記複数の空調用送風機のノッチを多段階に切替えて設定温度に到達するように制御することを特徴とする換気空調装置。
【請求項２】
外気を取り入れる給気用送風機と、住居内空気を排気する排気用送風機と、前記外気と前記住居内空気との間で熱交換する換気用熱交換器と、前記換気用熱交換器で熱交換後の外気と住居内空気とから空気流を形成する複数の空調用送風機と、前記空気流を加工する空調用熱交換器と、前記複数の空調用熱交換器へ熱源を供給する熱源発生機と、前記複数の空調用送風機の運転を制御する制御装置とを有し、前記複数の空調用熱交換器で加工された空気流を前記複数の空調用送風機に対応する住居内の複数ゾーンに供給する換気空調装置であって、
前記制御装置は、各ゾーン毎の室内温度と各ゾーン毎の設定温度との差温度と、前記差温度がある一定の値だけ変化するまでに要する時間変化量とから調節信号を形成して、前記調節信号に基づいて前記熱源発生機の流量を変化させて設定温度に到達するように制御することを特徴とする換気空調装置。
【請求項３】
制御装置は、各ゾーンに対応する調節信号の内、最も熱源の流量を大きく設定するものに従って制御することを特徴とする請求項２記載の換気空調装置。
【発明の詳細な説明】
【技術分野】
【０００１】
　本発明は一台で住居の複数ゾーンの換気空調を行なう主として高気密・高断熱住宅に適用される換気空調装置に関するものである。
【背景技術】
【０００２】
　換気空調装置には、特公平４ー４０６１５号公報に示されているように熱交換換気機能と冷暖房機能とを兼備したものがある。いずれも、換気空調装置の本体は、住居の一ゾーンに設置され、当該住居の全体の負荷に対応できる換気と空調能力を備え、給気ダクトにより各ゾーンに室外から取り込んだ新鮮な空気と室内の空気とを混合した加工空気をそれぞれ供給するようにシステム構成される。例えば、特開平２ー１９５１４６号公報のものでは、本体に組込まれた能力可変の熱源発生機により発生する温風又は冷風を能力可変の送風機によりダクトを介して各ゾーンに供給するようにシステム構成される。
【０００３】
　こうした換気空調装置においてその運転にかかる制御装置は、従来においては冷暖房機能だけの一般的な空調装置に採用されている制御装置がそのまま適用されていることが多い。即ち、〈１〉特開昭６１ー３１８４３号公報、〈２〉特開昭６２ー１９０３４２号公報、〈３〉特開平４ー２３６０５０号公報、〈４〉特開平４ー１８０５００号公報、〈５〉特開平６ー３４１８１号公報、〈６〉特開平６ー４２８０３号公報にそれぞれ示されているような制御装置が用いられている。
【０００４】
　上記した公報のうちの〈１〉によるものは、設定される設定温度と検出される実温度との温度差を検出し、設定温度に実温度が達するまでの時間の長短により複数の制御ゾーンを設定し、各制御ゾーンに対応して空調用送風機への印加電圧を制御している。〈２〉によるものは、室温が下がり勾配か昇り勾配かの場合でそれぞれ複数の制御ゾーンを設定し、ゾーンを越えるかどうかで空調用送風機を周波数制御している。〈３〉〜〈６〉によるものはファジー演算を用いたもので、温度差により、丁度良い、やや差がある、差がある等に分け、さらに前回の温度差の時間的変化率を組み合わせて温度制御している。
【０００５】
　また、熱源発生装置を制御したり、例えば、特開平２ー５００４０号公報に示されているように熱源発生手段と空調用送風機の双方を制御して設定温度に到達させようとするものもある。これは冷暖房能力が熱源発生装置からの熱源の量と空調用送風機の風量とに相関することに着目し、熱源の流量と風量を関連づけて制御するようにしたものである。
【０００６】
　上記の他に換気と空調とを関係付けたものも有る。この種のものは特開平１ー２５６７４８号公報や特開平４ー１１０５５３号公報に示されているような、空調運転と換気ファンとを連動の関係にも独立の関係にもできるように制御する仕方や、換気モード運転では換気送風機を強運転させるように制御する仕方が採用されている。
【０００７】
【特許文献１】特公平４ー４０６１５号公報
【発明の開示】
【発明が解決しようとする課題】
【０００８】
　上記のような従来の制御装置においては、冷暖房にかかる空調についてはそれぞれその制御機能に応じた温度に関する状態量の制御がなされるが、換気に関する状態量については制御対象から外れているか、空調とは切り離して制御しているため、高気密住宅では快適性の高い換気空調雰囲気が得難いといった問題点がある。
【０００９】
　即ち、高気密住宅においては換気を換気装置にほぼ全面的に依存することになるため、換気についても十分に配慮する必要がある。しかしながら、換気のために取り込まれる外気がそのまま空調用の加工空気として加工され、各ゾーンへ供給される換気空調装置では、温度制御により空調用送風機が停止すると、その空調用送風機により加工空気が供給されていたゾーンへの新鮮な空気の供給も停止してしまう。特開平４ー３２４０４２号公報にはこうした不都合を解消する技術が示されている。
【００１０】
　これは、全てのゾーンの室温が設定温度に達し、空調用送風機が全て停止されると、強制的に空調用送風機を弱ノッチで運転させ、新鮮な外気の供給を継続させるものであるが、いずれか一つでも設定温度に達していない間は、既に設定温度に達している他のゾーンへは外気の導入が図られないといった難点がある。
【００１１】
　換気と空調とを関連付けた特開平１ー２５６７４８号公報や特開平４ー１１０５５３号公報に示されている技術も、一台の換気空調装置で住居全体の換気空調を行なう換気空調装置では適用することができない。即ち、全てのゾーンから換気モード運転の要求がなされないと、換気を十分に行なう運転にはならず、換気と空調との調整が利かない。
【００１２】
　本発明は上記した従来の問題点を解消するためになされたもので、その課題とするところは、換気機能と空調機能とが結合し、複数ゾーンに換気空調を行なう換気空調装置の空調機能と換気機能とを調和的に働かせてより快適性の高い換気空調雰囲気が形成できるようにすることであり、換気空調装置の消費電力や運転音を低減させることであり、換気空調装置の除湿機能を向上させることである。
【課題を解決するための手段】
【００１３】
　給気用送風機によって取り入れられる外気と、排気用送風機によって排気される住居内空気とを換気用熱交換器により熱交換させ、熱交換後の外気を、風量可変の空調用送風機と、この空調用送風機の形成する空気流を加工する空調用熱交換器を備えた複数系統の空調機能部に住居内空気とともにそのまま供給して住居の各ゾーンに空調機能部により形成される加工空気をそれぞれ供給するように構成した装置本体に、空調機能部の各空調用送風機の運転を制御する制御装置を組込んだもので、その制御装置を各空調機能部に対応する各ゾーンに配置され、室内温度を検知する室温検知機能と、当該ゾーンの室温を設定する温度設定機能を有するコントローラに接続し、制御装置によりコントローラからの室内温度と設定温度とからその差温度と、該差温度の時間変化量とを求め、差温度とその時間変化量とに応じた調節信号を形成して、当該ゾーンに対応する空調機能部の空調用送風機のノッチを多段階に切替えて、できるだけ当該空調用送風機を停止させずに設定温度に到達するように制御する手段を採用する。
【００１４】
　給気用送風機によって取り入れられる外気と、排気用送風機によって排気される住居内空気とを換気用熱交換器により熱交換させ、熱交換後の外気を、風量可変の空調用送風機と、この空調用送風機の形成する空気流を加工する空調用熱交換器を備えた複数系統の空調機能部に住居内空気とともにそのまま供給して住居の各ゾーンに上記空調機能部により形成される加工空気をそれぞれ供給するように構成した装置本体に、空調機能部の各空調用送風機の運転と空調用熱交換器へ熱源を供給する熱源発生機とを制御する制御装置を組込んだもので、その制御装置を各空調機能部に対応する各ゾーンに配置され、室内温度を検知する室温検知機能と、当該ゾーンの室温を設定する温度設定機能を有するコントローラに接続し、制御装置によりコントローラからの室内温度と設定温度とからその差温度と、該差温度の時間変化量とを求め、差温度とその時間変化量と熱源の流量に応じた調節信号を形成して、設定温度の最も高いコントローラに従って熱源発生機の熱源の流量を制御するとともに、当該ゾーンに対応する空調機能部の空調用送風機のノッチを多段階に切替えて、できるだけ当該空調用送風機を停止させずに設定温度に到達するように制御する手段を採用する。
【００１５】
　給気用送風機の運転によって取り入れられる外気と、排気用送風機の運転によって排気される住居内空気とが換気用熱交換器により熱交換される。熱交換後の外気は、空調機能部の運転により取り入れられる住居内空気と混合して空調機能部により加工空気として住居の各ゾーンへ供給される。この時、装置本体に組込まれた制御装置は、各空調機能部に対応する各ゾーンに配置されたコントローラから得られる室内温度と設定温度との情報から両者間の差温度と、該差温度の時間変化量とを求め、差温度とその時間変化量とに応じた調節信号を形成して、当該ゾーンに対応する空調機能部の空調用送風機のノッチを多段階に切替えて、当該ゾーンの室内温度が設定温度に到達するように制御する。空調機能部の空調用送風機は室内温度が設定温度に到達するように例えば強ノッチから中ノッチを経て弱ノッチに、又は弱ノッチから中ノッチを経て強ノッチに到達するように段階的にノッチが移行する。従って、空調用送風機はなるべく停止しないように制御され、温度制御幅も小さくなる。
【００１６】
　給気用送風機の運転によって取り入れられる外気と、排気用送風機の運転によって排気される住居内空気とが換気用熱交換器により熱交換される。熱交換後の外気は、空調機能部の運転により取り入れられる住居内空気と混合して空調機能部により加工空気として住居の各ゾーンへ供給される。この時、装置本体に組込まれた制御装置は、各空調機能部に対応する各ゾーンに配置されたコントローラから得られる室内温度と設定温度との情報から両者間の差温度と、該差温度の時間変化量とを求め、差温度とその時間変化量と空調用熱交換器に流れる熱源の流量に応じた調節信号を形成して、設定温度の最も高いコントローラに従って熱源発生機の熱源の流量を制御するとともに、当該ゾーンに対応する空調機能部の空調用送風機のノッチを多段階に切替えて、できるだけ当該空調用送風機を停止させずに設定温度に到達するように制御する。
【発明の効果】
【００１７】
　給気用送風機の運転によって取り入れられる外気と、排気用送風機の運転によって排気される住居内空気とが換気用熱交換器により熱交換される。熱交換後の外気は、空調機能部の運転により取り入れられる住居内空気と混合して空調機能部により加工空気として住居の各ゾーンへ供給される。この時、装置本体に組込まれた制御装置は、各空調機能部に対応する各ゾーンに配置されたコントローラから得られる室内温度と設定温度との情報から両者間の差温度と、該差温度の時間変化量とを求め、差温度とその時間変化量とに応じた調節信号を形成して、当該ゾーンに対応する空調機能部の空調用送風機のノッチを多段階に切替えて、当該ゾーンの室内温度が設定温度に到達するように制御する。空調機能部の空調用送風機は室内温度が設定温度に到達するように例えば強ノッチから中ノッチを経て弱ノッチに、又は弱ノッチから中ノッチを経て強ノッチに到達するように段階的にノッチが移行する。従って、空調用送風機はなるべく停止しないように制御され、温度制御幅も小さくなり、空調機能と換気機能とが調和的に働き、高気密住宅に対してより快適性の高い換気空調雰囲気を形成できる。
【００１８】
　給気用送風機の運転によって取り入れられる外気と、排気用送風機の運転によって排気される住居内空気とが換気用熱交換器により熱交換される。熱交換後の外気は、空調機能部の運転により取り入れられる住居内空気と混合して空調機能部により加工空気として住居の各ゾーンへ供給される。この時、装置本体に組込まれた制御装置は、各空調機能部に対応する各ゾーンに配置されたコントローラから得られる室内温度と設定温度との情報から両者間の差温度と、該差温度の時間変化量とを求め、差温度とその時間変化量と空調用熱交換器に流れる熱源の流量に応じた調節信号を形成して、設定温度の最も高いコントローラに従って熱源発生機の熱源の流量を制御するとともに、当該ゾーンに対応する空調機能部の空調用送風機のノッチを多段階に切替えて、できるだけ当該空調用送風機を停止させずに設定温度に到達するように制御されるので、温度制御幅も小さくなり、空調機能と換気機能とが調和的に働き、高気密住宅に対してより快適性の高い換気空調雰囲気を低騒音で形成できる。
【発明を実施するための最良の形態】
【００１９】
以下、本発明の一実施例を図面に基づいて説明する。
実施例１．図１は本発明の実施例として換気空調装置を適用した換気空調システムを示す構成図である。始めに図１に基づいてこの換気空調システムの主体となる換気空調装置の装置本体１について説明する。この換気空調装置の装置本体１は、換気部２と空調部３を隣接して設けた構成で、住居全体を換気空調できる能力を備え、住居の特定のゾーン（室）Ａの天井裏の空間などを利用して設置されるものである。
【００２０】
　住居は高気密で高断熱の構造であり、装置本体１の換気機能にその換気雰囲気の形成を依存している。換気部２は、住居内の空気を住居外へ排気する排気流を形成する排気用送風機４が設けられた排気通路と、住居外の空気を住居内へ供給する給気流を形成する給気用送風機５が設けられた給気通路と、排気流と給気流との間での熱交換を行なう換気用熱交換器６とを備えている。
【００２１】
　空調部３は換気部２に隣接して換気部２とともに単一の本体ケーシングに収められ、並列する複数（図例では２個）の空調機能体７により構成されている。各空調機能体７は、それぞれ空気を取り込んで各ゾーンＢ，Ｃへ吹き出す空気流を形成する風量可変の空調用送風機８，９が設けられた加工空気通路と、この加工空気通路に介在された空調用熱交換器１０，１１とにより構成されている。
【００２２】
　換気部２と空調部３との間には設置ゾーンＡの天井面において当該ゾーンＡに開口させる室内空気取入口１２が本体ケーシングの下面に開設されている。換気部２の排気通路は、この室内空気取入口１２に臨む隔壁に開設された排気開口部を入口端とし、排気用送風機４から換気用熱交換器６の一方の作動流体通路を経て本体ケーシングの一側に開口した室外排気口に至る一連の通路として構成されている。排気通路の出口端である室外排気口には、ダクト接続するための接続口が設けられ、排気ダクト１３を介して住居外へ連絡される。換気部２の給気通路は、本体ケーシングの一側に開口した外気取入口を入口端とし、給気用送風機５を経て換気用熱交換器６の他方の作動流体通路から室内空気取入口１２に臨む隔壁に開設された給気開口部に至る一連の通路として構成されている。給気通路の入口端である外気取入口には、ダクト接続するための接続口が設けられ、吸気ダクト１４を介して住居外へ連絡される。
【００２３】
　空調部３の各空調機能体７の加工空気通路は、いずれも室内空気取入口１２を入口端とし、空調用熱交換器１０，１１を通過して空調用送風機８，９を経て本体ケーシングの側部に開口した空気供給口に至る一連の通路として構成され、各空気供給口にはダクト接続するための接続口が設けられ、それぞれ給気ダクト１５を介して個々に供給対象の各ゾーンＢ，Ｃに連絡される。図例のように２個の空調機能体７で空調部３が構成される場合には、一方の空調機能体７の加工空気通路の入口側は換気部２の排気開口部に対応する側に位置され、他方の空調機能体７の加工空気通路の入口側は換気部２の給気開口部に対応する側に位置される。２個以上の空調機能体７で空調部３が構成される場合には、特定の空調機能体７とそうでない空調機能体７に対して上述の換気部２側との関係が構成されることになる。
【００２４】
　この実施例の空調機能体７は、各空調用送風機８，９部分を仕切板で仕切り、空調用熱交換器１０，１１を共用するかたちに構成されていて、各空調機能体７には換気部２からの熱交換後の外気と、室内空気取入口１２からのゾーンＡの空気が混合されて分流していく。空調用熱交換器１０は暖房用熱源発生機１６に接続され、暖房用熱源発生機１６から温水などの暖房用熱源の供給を受ける。また、空調用熱交換器１１は冷房用熱源発生機１７に接続され、冷房用熱源発生機１７から冷房用熱源の供給を受ける。
【００２５】
　暖房用熱源又は冷房用熱源を空調用熱交換器１０又は空調用熱交換器１１に流通させ、空調用送風機８，９を動作させて空調部３を運転させ、給気用送風機５と排気用送風機４とを動作させて装置本体１を運転させると、給気通路から取入れられた住居外の新鮮な外気は、換気用熱交換器６において排気流と熱交換した後、給気開口部に吹出され、室内空気取入口１２から吸込まれるゾーンＡの空気と混合して各空調機能体７の加工空気通路に流れ込み、暖冷房用に加工されて当該空気供給口から給気ダクト１５を介して供給対象のゾーンＢ，Ｃに加工空気が供給される。一方、排気用送風機４の運転により吸込まれたゾーンＡの空気は、排気開口部から換気用熱交換器６を経て室外排気口に至り、排気ダクト１３を介して住居外へ排気される。即ち、新鮮な外気の導入と汚濁したゾーンＡの空気の住居外への排気による換気が、暖冷房と並行して行なわれる。
【００２６】
　次に、図２〜図６により上記構成の換気空調システムにおける制御系について説明する。装置本体１には、装置本体１の運転停止や冷暖房の切替えや各ゾーンＡ，Ｂ，Ｃの空調の運転停止などの制御機能を持つ制御装置１８が組込まれている。この制御装置１８は、排気用送風機４，給気用送風機５，空調用送風機８，９及び暖房用熱源発生機１６並びに冷房用熱源発生機１７と接続され、これらをそれぞれ制御する。装置本体１により給気ダクト１５を介して空調される各ゾーンＢ，Ｃには制御装置１８と通信線によって接続されたコントローラ１９がそれぞれゾーンＢ，Ｃ毎に設置されている。
【００２７】
　この各コントローラ１９は、システム全体の運転停止、空調モード（冷暖房）の設定にかかる設定機能と、ゾーンＢ，Ｃ毎の温度設定機能や当該ゾーンＢ，Ｃの室温検知機能や運転停止など個別の設定にかかる機能を備えている。また、換気空調システム全体とゾーンＢ，Ｃの運転状態を表示する表示機能も備え、図２に示すように制御装置１８と通信する。
【００２８】
　この実施例１の制御装置１８は、空調用送風機８，９と暖房用熱源発生機１６又は冷房用熱源発生機１７とに対して次のような制御動作を行なうように構成されている。即ち、各コントローラ１９から送信されてくる室内温度と設定温度とからその差温度と、該差温度の時間変化量とを求め、差温度とその時間変化量とに応じた調節信号を形成して、当該ゾーンＢ，Ｃに対応する空調機能体７の空調用送風機８，９のノッチを多段階に切替えて、設定温度に到達するように制御する。これを図３によって具体的に説明する。制御装置１８は、例えばゾーンＢ（ゾーンＣについても同様である）において利用者が設定した設定温度と現在の室内温度の各情報を当該コントローラ１９から取り込む。取り込んだ室内温度と設定温度とから差温度算出手段２０によりその差温度ｅ（設定温度−室内温度）が算出される。次にこの差温度ｅが例えば０．５ｄｅｇ変化するΔｅまでの時間ｔが変化量算出手段２１により算出される。続いて、差温度ｅと時間ｔから調節信号変化量Δｃが信号変化量算出手段２２により求められる。この調節信号変化量Δｃは、図４に示す表に基づいて求められる。
【００２９】
　図４における＋の記号はノッチを上げる方向を、−はノッチを下げる方向をそれぞれ示し、その数値は現状に対するノッチの変化量を示している。調節信号Ｃをこうして求めた調節信号変化量Δｃの分だけ変化させて新たな調節信号Ｃが生成され、空調用送風機８，９と暖房用熱源発生機１６又は冷房用熱源発生機１７に出力される。調節信号Ｃは図５に示すように空調用送風機８，９のノッチを指示し、暖房用熱源発生機１６又は冷房用熱源発生機１７のＯＮ／ＯＦＦを指示するものである。これらの一連の処理は制御装置１８に組込まれたマイクロコンピュータ２３により行なわれる。
【００３０】
　これにより、空調用送風機８，９は例えば図６に示すように室内温度が設定温度に到達するように例えば強ノッチから中ノッチを経て弱ノッチに、又は弱ノッチから中ノッチを経て強ノッチに到達するように段階的にノッチが移行するように制御され、これにより室内温度は図６に示すように安定した温度変化で制御され、温度制御幅も小さくなり快適性が増すことになる。空調用送風機８，９のノッチを手動で行ない、風量をＯＮ／ＯＦＦ制御により行なうようにした従来例では、ノッチの変化と室内温度は例えば冷房負荷が小さい時には図７に示すようになり、室内温度の温度変化が不安定であり、また空調用送風機が停止する時間も長くなる。
【００３１】
　空調用送風機８，９が停止している間は、当該空調機能体７に連絡しているゾーンＢ又はゾーンＣには換気部２からの新鮮な外気の供給も停止する。高気密住居では空調と換気とを切り離して快適な環境を形成することはできない。この実施例１の換気空調装置では、室内温度を設定温度に維持するのになるべく空調用送風機８，９を停止させないように制御し、空調用送風機８，９の停止時間が短いので換気部２からの新鮮な外気の供給が停止する時間も短くなり、換気と空調とが調和的ないしは協調的に行なわれ快適な換気空調環境を形成することができる。
【００３２】
　実施例２．この実施例２は上記した実施例１で示したものの制御装置１８により暖房用熱源発生機１６及び冷房用熱源発生機１７の熱源の流量をも制御するようにしたもので、装置本体１の構成及び制御装置１８の一部の構成は実施例１に示したものと同じである。従って、実施例１と同一部分についてはそれらにかかる図を援用するとともに、同一の符号を用いそれらの説明を省略する。
【００３３】
　この実施例２の制御装置１８は、上述の実施例１によって示した制御機能の他に暖房用熱源発生機１６及び冷房用熱源発生機１７に対して、それらの熱源の供給流量を風量に関連付けて制御する制御機能を備えている。冷暖房能力は、空調用送風機８，９による送風量によっても変化させ得るが、熱源の流量を変化させるだけでも、或いは送風量と熱源の流量を共に変化させても変えることができる。図８は例えば暖房において温水等の熱源の流量と空調用送風機８，９の風量とを変化させた時の暖房能力の変化を示したものである。この図８においても分るように、例えば風量が強ノッチの大風量で、流量が４ｌ／ｍｉｎの時の暖房能力と風量が中ノッチの中風量で流量が１２ｌ／ｍｉｎの時の暖房能力はほぼ同等である。
【００３４】
　即ち、必要とする冷暖房能力を得るのに、流量を制御して風量の少ない状態で空調用送風機８，９を運転させる。例えば図９に示すように調節信号Ｃを１〜１０までの１０段階に分け、各段階の調節信号Ｃに空調用送風機８，９のノッチと熱源の流量の指令値を振り分け、制御装置１８からの調節信号Ｃにより空調用送風機８，９と暖房用熱源発生機１６又は冷房用熱源発生機１７とを制御する。この時、制御装置１８は図１０に示すように各ゾーンＢ，Ｃに対する調節信号Ｃの大小を比較し、そのうちの最も大きい熱源流量で暖房用熱源発生機１６又は冷房用熱源発生機１７を制御する。これにより冷暖房能力をリニアに変化させることができ、騒音の発生を押さえながら、なるべく空調用送風機８，９を停止させないように制御して室内温度を設定温度になるようにすることができる。これ以外の機能及び効果は実施例１のものと同じであるのでその説明は省略する。
【００３５】
　実施例３．この実施例３は上記した実施例１で示した装置本体１の給気用送風機５と排気用送風機４とを風量可変のものとし、装置本体１に組込んだ制御装置１８によって給気用送風機５と排気用送風機４の風量も制御するようにしたものである。この他の装置本体１の構成及び制御装置１８の一部の構成は実施例１に示したものと同じである。従って、実施例１と同一部分についてはそれらにかかる図を援用するとともに、同一の符号を用いそれらの説明を省略する。
【００３６】
　この実施例３の制御装置１８は、上述の実施例１によって示した制御機能の他に、図１１に示すように各ゾーンＢ，Ｃからの冷房運転又は暖房運転の要求が何箇所から出ているかをマイクロコンピュータ２３で確認し、各ゾーンＢ，Ｃに対応した運転動作を空調部３に行なわせる。このとき、冷房運転又は暖房運転の要求の箇所が全箇所であれば、給気用送風機５と排気用送風機４を強ノッチで運転させ、一ゾーンＢ又はＣだけの運転要求であれば給気用送風機５と排気用送風機４を弱ノッチで運転させる。
【００３７】
　一般に高気密な空間で必要な常時換気量は、一人当り２０〜３０ｍ３／ｈとされていて、設定した条件でこれを満たすに足る換気量が得られるようにこの換気空調装置の換気能力も設定されている。従って、使用しているゾーンＢ，Ｃが僅かな時に能力全部による換気を行なえば、過剰換気になるばかりでなく冷暖房負荷も増大する。また、使用しているゾーンＢ，Ｃが多いのに能力の一部による換気を行なえば、冷暖房負荷は低減するものの換気不足になり、換気環境は悪化する。この種の装置ではこれまで換気量に関する調節は使用者の思惟に委ねられてきたが、高気密住宅では換気量の調節を思惟的なものとすると、換気不足による事故の危険もあるので改善しなければならない。この点、この実施例３による換気空調装置では換気量が必要に応じて自動調節され、高気密住宅の適正換気が図１２に示すように省エネルギーを図りつつ実現し、換気部２の騒音も低減する。これ以外の機能は基本的には実施例１のものと同じであるのでそれらについての説明は省略する。
【００３８】
　実施例４．この実施例４は上記した実施例３で示した換気空調装置に除湿運転機能を付加し、図１３と図１４に示すように制御装置１８のマイクロコンピュータ２３により除湿運転の指令があった時には強制的に冷房用熱源発生機１７を運転させ、指令のあった当該ゾーンＢ，Ｃに対応する空調用送風機８，９を弱ノッチで運転させ、同時に換気部２の給気用送風機５と排気用送風機４を弱ノッチで運転させるようにしたものである。この他の装置本体１の構成及び制御装置１８の構成は実施例３に示したものと同じである。従って、実施例３と同一部分についてはそれらにかかる図を援用するとともに、同一の符号を用いそれらの説明を省略する。
【００３９】
この実施例４の制御装置１８をもつ換気空調装置によれば、除湿運転にあたっては換気量が一時的に押さえられるので換気とともに各ゾーンＡ，Ｂ，Ｃへ供給される湿気も少なくなり除湿機能が向上し、高気密住宅での除湿が効果的に行なわれることになる。これ以外の機能は実施例３のものと同じであるのでそれらについての説明は省略する。
【図面の簡単な説明】
【００４０】
【図１】この発明の一実施例としての換気空調システムの構成を示す構成図である。
【図２】実施例１の制御装置とコントローラの関係を示す説明図である。
【図３】実施例１の制御装置のブロック構成図である。
【図４】実施例１の制御装置が調節信号変化量を求めるための表を示す説明図である。
【図５】実施例１の制御装置が生成する調節信号の内容を表で示した説明図である。
【図６】実施例１の制御動作の一例をノッチと室温について示した動作説明図である。
【図７】従来例の制御動作の一例をノッチと室温について示した動作説明図である。
【図８】実施例２の制御動作の説明のための風量と流量と暖房能力の関係を示した説明図である。
【図９】実施例２の制御装置が生成する調節信号の内容を表で示した説明図である。
【図１０】実施例２の制御装置の制御フローを示すフローチャートである。
【図１１】実施例３の制御装置の制御動作を示すブロック説明図である。
【図１２】実施例３の機能説明図である。
【図１３】実施例４の制御装置の制御動作を示すブロック説明図である。
【図１４】実施例４の制御装置の制御フローを示すフローチャートである。
【符号の説明】
【００４１】
　１　装置本体
　２　換気部
　３　空調部
　４　排気用送風機
　５　給気用送風機
　６　換気用熱交換器
　７　空調機能体
　８　空調用送風機
　９　空調用送風機
　１０　空調用熱交換器
　１１　空調用熱交換器
　１６　冷房用熱源発生機
　１７　暖房用熱源発生機
　１８　制御装置
　１９　コントローラ
　２０　差温度算出手段
　２１　変化量算出手段
　２２　信号変化量算出手段
　２３　マイクロコンピュータ
【図１】
2004003866.tif 000003
【図２】
2004003866.tif 000004
【図３】
2004003866.tif 000005
【図４】
2004003866.tif 000006
【図５】
2004003866.tif 000007
【図６】
2004003866.tif 000008
【図７】
2004003866.tif 000009
【図８】
2004003866.tif 000010
【図９】
2004003866.tif 000011
【図１０】
2004003866.tif 000012
【図１１】
2004003866.tif 000013
【図１２】
2004003866.tif 000014
【図１３】
2004003866.tif 000015
【図１４】
2004003866.tif 000016